【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
フレキシブル帯域幅小型セルを実装するための方法であって、
小型セルのための第１の帯域幅スケーリングファクタを判断することと、
前記第１の帯域幅スケーリングファクタを使用して、前記小型セルのためのフレキシブル帯域幅キャリアを生成することと、
前記フレキシブル帯域幅キャリアを動的に調節するためのトリガを受信することと、
前記トリガに応答して、前記小型セルのための第２の帯域幅スケーリングファクタを判断することと、前記第１の帯域幅スケーリングファクタまたは前記第２の帯域幅スケーリングファクタのうちの少なくとも１つは、前記小型セルによってサポートされるべきユーザの数または前記小型セルの１人もしくは複数のユーザに対するトラフィック需要に基づく、
前記第１の帯域幅スケーリングファクタの使用から前記第２の帯域幅スケーリングファクタの使用に前記小型セルのための前記フレキシブル帯域幅キャリアを適応させることと
を備える方法。
【請求項２】
前記第１の帯域幅スケーリングファクタの使用から前記第２の帯域幅スケーリングファクタの使用に前記小型セルのための前記フレキシブル帯域幅キャリアを適応させることは、少なくともトラフィック増加またはサービス品質要件をサポートするために、前記フレキシブル帯域幅キャリアの帯域幅を増大させる、
請求項１に記載の方法。
【請求項３】
前記フレキシブル帯域幅キャリアを使用するとき、前記小型セルの少なくともチャネルナンバーまたは中心周波数を変更することをさらに備える、
請求項１に記載の方法。
【請求項４】
前記フレキシブル帯域幅キャリアを使用する前記小型セルの送信電力を変えることを通じて、前記フレキシブル帯域幅キャリアを使用する前記小型セルについてのビーコン−ライク状態を生成することをさらに備える、請求項１に記載の方法。
【請求項５】
前記フレキシブル帯域幅キャリアを使用する前記小型セルの前記送信電力は、通常帯域幅キャリアを使用する前記小型セルのための送信電力未満である、
請求項４に記載の方法。
【請求項６】
前記フレキシブル帯域幅キャリアを使用する前記小型セルの前記電力スペクトル密度は、通常帯域幅キャリアを使用する前記小型セルについての電力スペクトル密度よりも大きい、
請求項４に記載の方法。
【請求項７】
前記小型セルについての前記ビーコン−ライク状態を生成することは、前記小型セルの前記ユーザ機器検出のための前記小型セルの範囲を拡大する、
請求項４に記載の方法。
【請求項８】
通常帯域幅キャリアを使用する前記小型セルについてのビーコン−ライク状態を生成することをさらに備える、
請求項１に記載の方法。
【請求項９】
前記小型セルのための通常帯域幅キャリアを生成することをさらに備える、
請求項４に記載の方法。
【請求項１０】
前記帯域幅スケーリングファクタに基づく通常帯域幅キャリアのためのＰＮオフセット分離と比較して、前記小型セルと別の小型セルとの間の膨張チップ内のＰＮオフセット分離を低下させることをさらに備える、
請求項１に記載の方法。
【請求項１１】
膨張チップ内の前記ＰＮオフセット分離を低下させることは、前記小型セルおよび少なくとも１つの他の小型セルに関連付けられた一意のＰＮオフセットの数を増やす、
請求項１０に記載の方法。
【請求項１２】
前記一意のＰＮオフセットの数を増やすことは、マクロセルから小型セルへのハンドインを容易にする一意の小型セル識別をもたらす、
請求項１１に記載の方法。
【請求項１３】
前記一意のＰＮオフセットの数を増やすことは、小型セルから小型セルへのハンドオーバを容易にする一意の小型セル識別をもたらす、
請求項１１に記載の方法。
【請求項１４】
前記フレキシブル帯域幅キャリアを使用して、前記小型セルがその中で動作するための、マクロセルの帯域幅チャネルの部分を判断することと、
前記小型セルがその中で動作するための、前記帯域幅チャネルの前記部分に関する情報を送信することと
をさらに備える、請求項１に記載の方法。
【請求項１５】
別のフレキシブル帯域幅キャリアを使用して、別の小型セルがその中で動作すると判断したチャネルの部分に関する情報を、前記別の小型セルから受信することと、
前記フレキシブル帯域幅キャリアを使用して、その中で動作するための前記チャネルの別の部分を、前記受信した情報に基づいて判断することと
をさらに備える、請求項１に記載の方法。
【請求項１６】
別のフレキシブル帯域幅キャリアを使用して、前記別の小型セルがその中で動作すると判断した前記チャネルの前記部分に関する前記情報を前記別の小型セルから受信することは、前記小型セルのネットワーク使用モードを使用する、
請求項１５に記載の方法。
【請求項１７】
前記第１の帯域幅スケーリングファクタを使用して、前記小型セルのための前記フレキシブル帯域幅キャリアを生成することは、アップリンクのための前記フレキシブル帯域幅キャリアを生成することを備え、前記小型セル向けのダウンリンクのための帯域幅は、前記アップリンクとは異なる、
請求項１に記載の方法。
【請求項１８】
前記アップリンクに関して少なくとも第１のチャネルナンバーまたは第１の中心周波数と、前記ダウンリンクに関して少なくとも第２のチャネルナンバーまたは第２の中心周波数とを変更することをさらに備える、
請求項１７に記載の方法。
【請求項１９】
前記第１の帯域幅スケーリングファクタを使用して、前記小型セルのための前記フレキシブル帯域幅キャリアを生成することは、ダウンリンクのための前記フレキシブル帯域幅キャリアを生成することを備え、前記小型セル向けのアップリンクのための帯域幅は、前記ダウンリンクとは異なる、
請求項１に記載の方法。
【請求項２０】
前記小型セルのための前記フレキシブル帯域幅キャリアを前記第１の帯域幅スケーリングファクタの使用から前記第２の帯域幅スケーリングファクタの使用に適応させるときに前記小型セルの少なくともチャネルナンバーまたは中心周波数を変更することをさらに備える、
請求項１に記載の方法。
【請求項２１】
一意のＰＮオフセットの数を増やし、小型セル識別を容易にするために、少なくとも前記第１または前記第２の帯域幅スケーリングファクタを使用することをさらに備える、
請求項１に記載の方法。
【請求項２２】
フレキシブル帯域幅小型セルを実装するために構成されたワイヤレス通信システムであって、
小型セルのための第１の帯域幅スケーリングファクタを判断するための手段と、
前記第１の帯域幅スケーリングファクタを使用して、前記小型セルのためのフレキシブル帯域幅キャリアを生成するための手段と、
前記フレキシブル帯域幅キャリアを動的に調節するためのトリガを受信するための手段と、
前記トリガに応答して、前記小型セルのための第２の帯域幅スケーリングファクタを判断するための手段と、前記第１の帯域幅スケーリングファクタまたは前記第２の帯域幅スケーリングファクタのうちの少なくとも１つは、前記小型セルによってサポートされるべきユーザの数または前記小型セルの１人もしくは複数のユーザに対するトラフィック需要に基づく、
前記第１の帯域幅スケーリングファクタの使用から前記第２の帯域幅スケーリングファクタの使用に前記小型セルのための前記フレキシブル帯域幅キャリアを適応させるための手段と
を備えるワイヤレス通信システム。
【請求項２３】
前記フレキシブル帯域幅キャリアを使用するとき、前記小型セルのチャネルナンバーを変更するための手段をさらに備える、
請求項２２に記載のワイヤレス通信システム。
【請求項２４】
前記フレキシブル帯域幅キャリアを使用する前記小型セルの送信電力を変えることを通じて、前記フレキシブル帯域幅キャリアを使用する前記小型セルについてのビーコン−ライク状態を生成するための手段をさらに備える、
請求項２２に記載のワイヤレス通信システム。
【請求項２５】
前記帯域幅スケーリングファクタに基づく通常帯域幅キャリアのためのＰＮオフセット分離と比較して、前記小型セルと別の小型セルとの間の拡張チップ内のＰＮオフセット分離を低下させるための手段をさらに備える、
請求項２２に記載のワイヤレス通信システム。
【請求項２６】
前記フレキシブル帯域幅キャリアを使用して、前記小型セルがその中で動作するための、マクロセルの帯域幅チャネルの部分を判断するための手段と、
前記小型セルがその中で動作するための、前記帯域幅チャネルの前記部分に関する情報を送信するための手段と
をさらに備える、請求項２２に記載のワイヤレス通信システム。
【請求項２７】
別のフレキシブル帯域幅キャリアを使用して別の小型セルがその中で動作すると判断したチャネルの部分に関する情報を、前記別の小型セルから受信するための手段と、
前記フレキシブル帯域幅キャリアを使用してその中で動作するための前記チャネルの別の部分を、前記受信した情報に基づいて判断するための手段と
をさらに備える、請求項２２に記載のワイヤレス通信システム。
【請求項２８】
非一時的コンピュータ可読媒体を備える、フレキシブル帯域幅小型セルを実装するためのコンピュータプログラム製品であって、
前記非一時的コンピュータ可読媒体が、
小型セルのための第１の帯域幅スケーリングファクタを判断するためのコードと、
前記第１の帯域幅スケーリングファクタを使用して、前記小型セルのためのフレキシブル帯域幅キャリアを生成するためのコードと、
前記フレキシブル帯域幅キャリアを動的に調節するためのトリガを受信するためのコードと、
前記トリガに応答して、前記小型セルのための第２の帯域幅スケーリングファクタを判断するためのコードと、前記第１の帯域幅スケーリングファクタまたは前記第２の帯域幅スケーリングファクタのうちの少なくとも１つは、前記小型セルによってサポートされるべきユーザの数または前記小型セルの１人もしくは複数のユーザに対するトラフィック需要に基づく、
前記第１の帯域幅スケーリングファクタの使用から前記第２の帯域幅スケーリングファクタの使用に前記小型セルのための前記フレキシブル帯域幅キャリアを適応させるためのコードと
を備えるコンピュータプログラム製品。
【請求項２９】
前記非一時的コンピュータ可読媒体は、
前記フレキシブル帯域幅キャリアを使用するとき、前記小型セルのチャネルナンバーを変更するためのコードをさらに備える、
請求項２８に記載のコンピュータプログラム製品。
【請求項３０】
前記非一時的コンピュータ可読媒体は、
前記フレキシブル帯域幅キャリアを使用する前記小型セルの送信電力を変えることを通じて、前記フレキシブル帯域幅キャリアを使用する前記小型セルについてのビーコン−ライク状態を生成するためのコードをさらに備える、
請求項２８に記載のコンピュータプログラム製品。
【請求項３１】
前記非一時的コンピュータ可読媒体は、
前記帯域幅スケーリングファクタに基づく通常帯域幅キャリアのためのＰＮオフセット分離と比較して、前記小型セルと別の小型セルとの間の膨張チップ内のＰＮオフセット分離を低下させるためのコードをさらに備える、
請求項２８に記載のコンピュータプログラム製品。
【請求項３２】
前記非一時的コンピュータ可読媒体は、
前記フレキシブル帯域幅キャリアを使用して、前記小型セルがその中で動作するためのマクロセルの帯域幅チャネルの部分を判断するためのコードと、
前記小型セルがその中で動作するための、前記帯域幅チャネルの前記部分に関する情報を送信するためのコードと
をさらに備える、請求項２８に記載のコンピュータプログラム製品。
【請求項３３】
前記非一時的コンピュータ可読媒体は、
別のフレキシブル帯域幅キャリアを使用して別の小型セルがその中で動作すると判断したチャネルの部分に関する情報を、前記別の小型セルから受信するためのコードと、
前記フレキシブル帯域幅キャリアを使用してその中で動作するための前記チャネルの別の部分を、前記受信した情報に基づいて判断するためのコードと
をさらに備える、請求項２８に記載のコンピュータプログラム製品。
【請求項３４】
フレキシブル帯域幅小型セルを実装するために構成されたワイヤレス通信デバイスであって、
小型セルのための第１の帯域幅スケーリングファクタを判断することと、
前記第１の帯域幅スケーリングファクタを使用して、前記小型セルのためのフレキシブル帯域幅キャリアを生成することと、
前記フレキシブル帯域幅キャリアを動的に調節するためのトリガを受信することと、
前記トリガに応答して、前記小型セルのための第２の帯域幅スケーリングファクタを判断することと、前記第１の帯域幅スケーリングファクタまたは前記第２の帯域幅スケーリングファクタのうちの少なくとも１つは、前記小型セルによってサポートされるべきユーザの数または前記小型セルの１人もしくは複数のユーザに対するトラフィック需要に基づく、
前記第１の帯域幅スケーリングファクタの使用から前記第２の帯域幅スケーリングファクタの使用に前記小型セルのための前記フレキシブル帯域幅キャリアを適応させることと
を行うように構成された少なくとも１つのプロセッサを備える、ワイヤレス通信デバイス。
【請求項３５】
前記少なくとも１つのプロセッサは、
前記フレキシブル帯域幅キャリアを使用するとき、前記小型セルのチャネルナンバーを変更するようにさらに構成される、
請求項３４に記載のワイヤレス通信デバイス。
【請求項３６】
前記少なくとも１つのプロセッサは、
前記フレキシブル帯域幅キャリアを使用する前記小型セルの送信電力を変えることを通じて、前記フレキシブル帯域幅キャリアを使用する前記小型セルについてのビーコン−ライク状態を生成することを行うようにさらに構成される、
請求項３４に記載のワイヤレス通信デバイス。
【請求項３７】
前記少なくとも１つのプロセッサは、
前記帯域幅スケーリングファクタに基づく通常帯域幅キャリアのためのＰＮオフセット分離と比較して、前記小型セルと別の小型セルとの間の拡張チップ内のＰＮオフセット分離を低下させることを行うようにさらに構成される、
請求項３４に記載のワイヤレス通信デバイス。
【請求項３８】
前記少なくとも１つのプロセッサは、
前記フレキシブル帯域幅キャリアを使用して、前記小型セルがその中で動作するための、マクロセルの帯域幅チャネルの部分を判断することと、
前記小型セルがその中で動作するための、前記帯域幅チャネルの前記部分に関する情報を送信することと
を行うようにさらに構成される、請求項３４に記載のワイヤレス通信デバイス。
【請求項３９】
前記少なくとも１つのプロセッサは、
別のフレキシブル帯域幅キャリアを使用して別の小型セルがその中で動作すると判断したチャネルの部分に関する情報を、前記別の小型セルから受信することと、
前記フレキシブル帯域幅キャリアを使用してその中で動作するための前記チャネルの別の部分を、前記受信した情報に基づいて判断することと
を行うようにさらに構成される、請求項３４に記載のワイヤレス通信デバイス。
【請求項４０】
前記ワイヤレス通信デバイスは、小型セルアクセスポイントを備える、
請求項３４に記載のワイヤレス通信デバイス。
【手続補正２】
【補正対象書類名】明細書
【補正対象項目名】０１６５
【補正方法】変更
【補正の内容】
【０１６５】
本開示の前述の説明は、当業者が本開示を作成または使用することができるように提供されたものである。本開示への様々な修正は当業者には容易に明らかであり、本明細書で定義した一般原理は、本開示の趣旨または範囲から逸脱することなく他の変形形態に適用できる。本開示全体にわたって、「例」または「例示的」という用語は、一例または一事例を示すものであり、言及した例についての選好を暗示せず、または必要としない。したがって、本開示は、本明細書で説明する例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］  フレキシブル帯域幅小型セルを実装するための方法であって、
小型セルのための第１の帯域幅スケーリングファクタを判断することと、
前記第１の帯域幅スケーリングファクタを使用して、前記小型セルのためのフレキシブル帯域幅キャリアを生成することと
を備える方法。
［Ｃ２］  前記小型セルのための第２の帯域幅スケーリングファクタを判断することと、
前記第１の帯域幅スケーリングファクタの使用から前記第２の帯域幅スケーリングファクタの使用に前記小型セルのための前記フレキシブル帯域幅キャリアを適応させることと
をさらに備える、Ｃ１に記載の方法。
［Ｃ３］  少なくとも、前記小型セルによってサポートされるべきユーザの数または前記小型セルの１人もしくは複数のユーザに対するトラフィック需要を判断することと、
前記第１の帯域幅スケーリングファクタを判断するために、少なくとも前記判断されたユーザ数または前記判断されたトラフィック需要を使用することと
をさらに備える、Ｃ１に記載の方法。
［Ｃ４］  前記第１の帯域幅スケーリングファクタの使用から前記第２の帯域幅スケーリングファクタの使用に前記小型セルのための前記フレキシブル帯域幅キャリアを適応させることは、少なくともトラフィック増加またはサービス品質要件をサポートするために、前記フレキシブル帯域幅キャリアの帯域幅を増大させる、
Ｃ２に記載の方法。
［Ｃ５］  前記フレキシブル帯域幅キャリアを使用するとき、前記小型セルの少なくともチャネルナンバーまたは中心周波数を変更することをさらに備える、
Ｃ１に記載の方法。
［Ｃ６］  前記フレキシブル帯域幅キャリアを使用する前記小型セルの送信電力を変えることを通じて、前記フレキシブル帯域幅キャリアを使用する前記小型セルについてのビーコン−ライク状態を生成することをさらに備える、Ｃ１に記載の方法。
［Ｃ７］  前記フレキシブル帯域幅キャリアを使用する前記小型セルの前記送信電力は、通常帯域幅キャリアを使用する前記小型セルのための送信電力未満である、
Ｃ６に記載の方法。
［Ｃ８］  前記フレキシブル帯域幅キャリアを使用する前記小型セルの前記電力スペクトル密度は、通常帯域幅キャリアを使用する前記小型セルについての電力スペクトル密度よりも大きい、
Ｃ６に記載の方法。
［Ｃ９］  前記小型セルについての前記ビーコン−ライク状態を生成することは、前記小型セルの前記ユーザ機器検出のための前記小型セルの範囲を拡大する、
Ｃ６に記載の方法。
［Ｃ１０］  通常帯域幅キャリアを使用する前記小型セルについてのビーコン−ライク状態を生成することをさらに備える、
Ｃ１に記載の方法。
［Ｃ１１］  前記小型セルのための通常帯域幅キャリアを生成することをさらに備える、
Ｃ６に記載の方法。
［Ｃ１２］  前記第１の帯域幅スケーリングファクタに基づく通常帯域幅キャリアのためのＰＮオフセット分離と比較して、前記小型セルと別の小型セルとの間の膨張チップ内のＰＮオフセット分離を低下させることをさらに備える、
Ｃ１に記載の方法。
［Ｃ１３］  膨張チップ内の前記ＰＮオフセット分離を低下させることは、前記小型セルおよび少なくとも１つの他の小型セルに関連付けられた一意のＰＮオフセットの数を増やす、
Ｃ１２に記載の方法。
［Ｃ１４］  前記一意のＰＮオフセットの数を増やすことは、マクロセルから小型セルへのハンドインを容易にする一意の小型セル識別をもたらす、
Ｃ１３に記載の方法。
［Ｃ１５］  前記一意のＰＮオフセットの数を増やすことは、小型セルから小型セルへのハンドオーバを容易にする一意の小型セル識別をもたらす、
Ｃ１３に記載の方法。
［Ｃ１６］  前記フレキシブル帯域幅キャリアを使用して、前記小型セルが動作するための、マクロセルの帯域幅チャネルの部分を判断することと、
前記小型セルが動作するための、前記帯域幅チャネルの前記部分に関する情報を送信することと
をさらに備える、Ｃ１に記載の方法。
［Ｃ１７］  別のフレキシブル帯域幅キャリアを使用して、別の小型セルがその中で動作すると判断したチャネルの部分に関する情報を、前記別の小型セルから受信することと、
前記フレキシブル帯域幅キャリアを使用して、その中で動作するための前記通常チャネルの別の部分を、前記受信した情報に基づいて判断することと
をさらに備える、Ｃ１に記載の方法。
［Ｃ１８］  別のフレキシブル帯域幅キャリアを使用して、前記別の小型セルがその中で動作すると判断した前記チャネルの前記部分に関する前記情報を前記別の小型セルから受信することは、前記小型セルのネットワーク使用モードを使用する、
Ｃ１７に記載の方法。
［Ｃ１９］  前記第１の帯域幅スケーリングファクタを使用して、前記小型セルのための前記フレキシブル帯域幅キャリアを生成することは、アップリンクのための前記フレキシブル帯域幅キャリアを生成することを備え、前記小型セル向けのダウンリンクのための帯域幅は、前記アップリンクとは異なる、
Ｃ１に記載の方法。
［Ｃ２０］  前記第１の帯域幅スケーリングファクタを使用して、前記小型セルのための前記フレキシブル帯域幅キャリアを生成することは、ダウンリンクのための前記フレキシブル帯域幅キャリアを生成することを備え、前記小型セル向けのアップリンクのための帯域幅は、前記ダウンリンクとは異なる、
Ｃ１に記載の方法。
［Ｃ２１］  前記アップリンクに関して少なくとも第１のチャネルナンバーまたは第１の中心周波数と、前記ダウンリンクに関して少なくとも第２のチャネルナンバーまたは第２の中心周波数とを変更することをさらに備える、
Ｃ１９に記載の方法。
［Ｃ２２］  前記小型セルのための前記フレキシブル帯域幅キャリアを前記第１の帯域幅スケーリングファクタの使用から前記第２の帯域幅スケーリングファクタの使用に適応させるときに前記フレキシブル帯域幅キャリアを使用するとき、前記小型セルの少なくともチャネルナンバーまたは中心周波数を変更することをさらに備える、
Ｃ２に記載の方法。
［Ｃ２３］  小型セル識別を容易にするために、少なくとも前記帯域幅スケーリングファクタを使用することをさらに備える、
Ｃ１に記載の方法。
［Ｃ２４］  フレキシブル帯域幅小型セルを実装するために構成されたワイヤレス通信システムであって、
小型セルのための第１の帯域幅スケーリングファクタを判断するための手段と、
前記第１の帯域幅スケーリングファクタを使用して、前記小型セルのためのフレキシブル帯域幅キャリアを生成するための手段と
を備えるワイヤレス通信システム。
［Ｃ２５］  前記小型セルのための第２の帯域幅スケーリングファクタを判断するための手段と、
前記小型セルのための前記フレキシブル帯域幅キャリアを、前記第１の帯域幅スケーリングファクタの使用から前記第２の帯域幅スケーリングファクタの使用に適応させるための手段と
をさらに備える、Ｃ２４に記載のワイヤレス通信システム。
［Ｃ２６］  少なくとも、前記小型セルによってサポートされるべきユーザの数または前記小型セルの１人もしくは複数のユーザに対するトラフィック需要を判断するための手段と、
前記第１の帯域幅スケーリングファクタを判断するために、少なくとも前記判断されたユーザ数または前記判断されたトラフィック需要を使用するための手段と
をさらに備える、Ｃ２４に記載のワイヤレス通信システム。
［Ｃ２７］  前記フレキシブル帯域幅キャリアを使用するとき、前記小型セルのチャネルナンバーを変更するための手段をさらに備える、
Ｃ２４に記載のワイヤレス通信システム。
［Ｃ２８］  前記フレキシブル帯域幅キャリアを使用する前記小型セルの送信電力を変えることを通じて、前記フレキシブル帯域幅キャリアを使用する前記小型セルについてのビーコン−ライク状態を生成するための手段をさらに備える、
Ｃ２４に記載のワイヤレス通信システム。
［Ｃ２９］  前記第１の帯域幅スケーリングファクタに基づく通常帯域幅キャリアのためのＰＮオフセット分離と比較して、前記小型セルと別の小型セルとの間の拡張チップ内のＰＮオフセット分離を低下させるための手段をさらに備える、
Ｃ２４に記載のワイヤレス通信システム。
［Ｃ３０］  前記フレキシブル帯域幅キャリアを使用して、前記小型セルが動作するための、マクロセルの帯域幅チャネルの部分を判断するための手段と、
前記小型セルが動作するための、前記帯域幅チャネルの前記部分に関する情報を送信するための手段と
をさらに備える、Ｃ２４に記載のワイヤレス通信システム。
［Ｃ３１］  別のフレキシブル帯域幅キャリアを使用して別の小型セルがその中で動作すると判断したチャネルの部分に関する情報を、前記別の小型セルから受信するための手段と、
前記フレキシブル帯域幅キャリアを使用してその中で動作するための前記通常チャネルの別の部分を、前記受信した情報に基づいて判断するための手段と
をさらに備える、Ｃ２４に記載のワイヤレス通信システム。
［Ｃ３２］  非一時的コンピュータ可読媒体を備える、フレキシブル帯域幅小型セルを実装するためのコンピュータプログラム製品であって、
前記非一時的コンピュータ可読媒体が、
小型セルのための第１の帯域幅スケーリングファクタを判断するためのコードと、
前記第１の帯域幅スケーリングファクタを使用して、前記小型セルのためのフレキシブル帯域幅キャリアを生成するためのコードと
を備えるコンピュータプログラム製品。
［Ｃ３３］  前記非一時的コンピュータ可読媒体は、
前記小型セルのための第２の帯域幅スケーリングファクタを判断するためのコードと、
前記小型セルのための前記フレキシブル帯域幅キャリアを、前記第１の帯域幅スケーリングファクタの使用から前記第２の帯域幅スケーリングファクタの使用に適応させるためのコードと
をさらに備える、Ｃ３２に記載のコンピュータプログラム製品。
［Ｃ３４］  前記非一時的コンピュータ可読媒体は、
少なくとも、前記小型セルによってサポートされるべきユーザの数または前記小型セルの１人もしくは複数のユーザに対するトラフィック需要を判断するためのコードと、
少なくとも前記判断されたユーザ数または前記判断されたトラフィック需要を使用して、前記第１の帯域幅スケーリングファクタを判断するためのコードと
をさらに備える、Ｃ３２に記載のコンピュータプログラム製品。
［Ｃ３５］  前記非一時的コンピュータ可読媒体は、
前記フレキシブル帯域幅キャリアを使用するとき、前記小型セルのチャネルナンバーを変更するためのコードをさらに備える、
Ｃ３２に記載のコンピュータプログラム製品。
［Ｃ３６］  前記非一時的コンピュータ可読媒体は、
前記フレキシブル帯域幅キャリアを使用する前記小型セルの送信電力を変えることを通じて、前記フレキシブル帯域幅キャリアを使用する前記小型セルについてのビーコン−ライク状態を生成するためのコードをさらに備える、
Ｃ３２に記載のコンピュータプログラム製品。
［Ｃ３７］  前記非一時的コンピュータ可読媒体は、
前記第１の帯域幅スケーリングファクタに基づく通常帯域幅キャリアのためのＰＮオフセット分離と比較して、前記小型セルと別の小型セルとの間の膨張チップ内のＰＮオフセット分離を低下させるためのコードをさらに備える、
Ｃ３２に記載のコンピュータプログラム製品。
［Ｃ３８］  前記非一時的コンピュータ可読媒体は、
前記フレキシブル帯域幅キャリアを使用して、前記小型セルが動作するためのマクロセルの帯域幅チャネルの部分を判断するためのコードと、
前記小型セルが動作するための、前記帯域幅チャネルの前記部分に関する情報を送信するためのコードと
をさらに備える、Ｃ３２に記載のコンピュータプログラム製品。
［Ｃ３９］  前記非一時的コンピュータ可読媒体は、
別のフレキシブル帯域幅キャリアを使用して別の小型セルがその中で動作すると判断したチャネルの部分に関する情報を、前記別の小型セルから受信するためのコードと、
前記フレキシブル帯域幅キャリアを使用してその中で動作するための前記通常チャネルの別の部分を、前記受信した情報に基づいて判断するためのコードと
をさらに備える、Ｃ３２に記載のコンピュータプログラム製品。
［Ｃ４０］  フレキシブル帯域幅小型セルを実装するために構成されたワイヤレス通信デバイスであって、
小型セルのための第１の帯域幅スケーリングファクタを判断することと、
前記第１の帯域幅スケーリングファクタを使用して、前記小型セルのためのフレキシブル帯域幅キャリアを生成することと
を行うように構成された少なくとも１つのプロセッサを備える、ワイヤレス通信デバイス。
［Ｃ４１］  前記少なくとも１つのプロセッサは、
前記小型セルのための第２の帯域幅スケーリングファクタを判断することと、
前記小型セルのための前記フレキシブル帯域幅キャリアを、前記第１の帯域幅スケーリングファクタの使用から前記第２の帯域幅スケーリングファクタの使用に適応させることと
を行うようにさらに構成される、Ｃ４０に記載のワイヤレス通信デバイス。
［Ｃ４２］  前記少なくとも１つのプロセッサは、
少なくとも、前記小型セルによってサポートされるべきユーザの数または前記小型セルの１人もしくは複数のユーザに対するトラフィック需要を判断することと、
前記第１の帯域幅スケーリングファクタを判断するために、少なくとも前記判断されたユーザ数または前記判断されたトラフィック需要を使用することと
を行うようにさらに構成される、Ｃ４０に記載のワイヤレス通信デバイス。
［Ｃ４３］  前記少なくとも１つのプロセッサは、
前記フレキシブル帯域幅キャリアを使用するとき、前記小型セルのチャネルナンバーを変更するようにさらに構成される、
Ｃ４０に記載のワイヤレス通信デバイス。
［Ｃ４４］  前記少なくとも１つのプロセッサは、
前記フレキシブル帯域幅キャリアを使用する前記小型セルの送信電力を変えることを通じて、前記フレキシブル帯域幅キャリアを使用する前記小型セルについてのビーコン−ライク状態を生成することを行うようにさらに構成される、
Ｃ４０に記載のワイヤレス通信デバイス。
［Ｃ４５］  前記少なくとも１つのプロセッサは、
前記第１の帯域幅スケーリングファクタに基づく通常帯域幅キャリアのためのＰＮオフセット分離と比較して、前記小型セルと別の小型セルとの間の拡張チップ内のＰＮオフセット分離を低下させることを行うようにさらに構成される、
Ｃ４０に記載のワイヤレス通信デバイス。
［Ｃ４６］  前記少なくとも１つのプロセッサは、
前記フレキシブル帯域幅キャリアを使用して、前記小型セルが動作するための、マクロセルの帯域幅チャネルの部分を判断することと、
前記小型セルがその中で動作するための、前記帯域幅チャネルの前記部分に関する情報を送信することと
を行うようにさらに構成される、Ｃ４０に記載のワイヤレス通信デバイス。
［Ｃ４７］  前記少なくとも１つのプロセッサは、
別のフレキシブル帯域幅キャリアを使用して別の小型セルがその中で動作すると判断したチャネルの部分に関する情報を、前記別の小型セルから受信することと、
前記フレキシブル帯域幅キャリアを使用してその中で動作するための前記通常チャネルの別の部分を、前記受信した情報に基づいて判断することと
を行うようにさらに構成される、Ｃ４０に記載のワイヤレス通信デバイス。
［Ｃ４８］  前記ワイヤレス通信デバイスは、前記小型セルを備える、
Ｃ４０に記載のワイヤレス通信デバイス。